(57)【要約】【課題】コンクリート板への固定が簡単なコンクリートスラブ用埋込材およびプレキャストコンクリート板を提供することである。【解決手段】コンクリートスラブ用埋込材１は、軽量埋込体２の下面３に接着剤溜まり用の凹部４が設けられ、該凹部４に接着剤５が充填されてなる。【選択図】    図１
2004204532.tif 000002
【特許請求の範囲】
【請求項１】
軽量埋込体の下面に接着剤溜まり用の凹部が設けられ、該凹部に接着剤が充填されたことを特徴とするコンクリートスラブ用埋込材。
【請求項２】
凹部は軽量埋込体における小口カット寸法線の両側に設けられたことを特徴とする請求項１に記載のコンクリートスラブ用埋込材。
【請求項３】
軽量埋込体の下面の四隅に沿って嵌合突起が設けられ、上面の四隅に沿って嵌合凹部が設けられたことを特徴とする請求項１または２に記載のコンクリートスラブ用埋込材。
【請求項４】
軽量埋込体の上面に下側が拡大された配管設置用溝が少なくとも一条設けられ、該配管設置用溝に同形の蓋体が取外自在に嵌合されたことを特徴とする請求項１〜３のいずれかに記載のコンクリートスラブ用埋込材。
【請求項５】
請求項１〜４に記載のコンクリートスラブ用埋込材のうちの少なくとも一種以上をコンクリート板に設置してなることを特徴とするプレキャストコンクリート板。
【発明の詳細な説明】
【０００１】
【発明の属する技術分野】
本発明はコンクリートスラブ用埋込材およびプレキャストコンクリート板に関するものである。
【０００２】
【従来の技術】
中空コンクリートスラブには、特開２００１−３４２７０２号公報に示すプレキャストコンクリート板が使用されている。このプレキャストコンクリート板２１におけるコンクリートスラブ用埋込材２０は、図６の（１）および（２）に示すように、笠釘２２でコンクリート板２３に固定されている。
【０００３】
【特許文献１】
特開２００１−３４２７０２号公報（図１）
【０００４】
【発明が解決しようとする課題】
しかし、上記のようなコンクリートスラブ用埋込材は笠釘でコンクリート板に固定されているため、この固定作業に手間がかかって効率的な施工をすることができなかった。
【０００５】
本発明はこれらの問題に鑑みてなされたものであり、その目的は、コンクリート板への固定が簡単なコンクリートスラブ用埋込材およびプレキャストコンクリート板を提供することである。
【０００６】
【課題を解決するための手段】
以上の課題を解決するための手段である請求項１の発明は、軽量埋込体の下面に接着剤溜まり用の凹部が設けられ、該凹部に接着剤が充填されたことを特徴とする。また請求項２の発明は、請求項１において、凹部が軽量埋込体における小口カット寸法線の両側に設けられたことを特徴とする。また請求項３の発明は、請求項１または２において、軽量埋込体の下面の四隅に沿って嵌合突起が設けられ、上面の四隅に沿って嵌合凹部が設けられたことを特徴とする。また請求項４の発明は、請求項１〜３のいずれかにおいて、軽量埋込体の上面に下側が拡大された配管設置用溝が少なくとも一条設けられ、該配管設置用溝に同形の蓋体が取外自在に嵌合されたことを特徴とする。また請求項５の発明は、請求項１〜４に記載のコンクリートスラブ用埋込材のうちの少なくとも一種以上をコンクリート板に設置してなることを特徴とする。
【０００７】
コンクリートスラブ用埋込材を笠釘によらずに接着剤でコンクリート板に固定することができる。凹部が軽量埋込体における小口カット寸法線の両側に設けられたことにより、小口カット寸法線で軽量埋込体をカットしたとしても、そのカット物の四隅に必ず凹部が形成される。コンクリートスラブ用埋込材を積み重ねると、嵌合突起が下側のコンクリートスラブ用埋込材の嵌合凹部に嵌合されて積み重ねられる。嵌合突起の下部がコンクリート板に埋設されるので、コンクリートスラブ用埋込材の設置が簡単にできる。配管の必要な配管設置用溝の蓋体のみを取り外すことができる。コンクリート板の上面に形成したモルタル突起が凹部に入ってコンクリートスラブ用埋込材が固定されたプレキャストコンクリート板が製造できる。
【０００８】
【発明の実施の形態】
以下、本発明のコンクリートスラブ用埋込材（以下埋込材という）およびプレキャストコンクリート板（以下ＰＣ板という）の実施の形態を図面に基づいて説明する。はじめに埋込材について説明した後、この埋込材を使用したＰＣ板の実施の形態について説明する。また各実施の形態において同じ構成は同じ符号を付して説明し、異なった構成は異なった符号を付して説明する。
【０００９】
図１は第１の実施の形態の埋込材１を示したものである。この埋込材１はポリスチレン系樹脂やポリオレフイン系樹脂などで発泡形成された軽量埋込体２の下面３に接着剤溜まり用の凹部４が形成され、該凹部４内に接着剤５が充填されて構成されている。この凹部４は軽量埋込体２の四隅や、小口カット寸法線６の両側に設けられている。したがって埋込材１を小口カット寸法線６でカットしても、そのカット物の四隅には必ず凹部４が形成されるようになっている。接着剤５はモルタルを含んだものであり、硬化したときにコンクリート板と一体になって、あたかもコンクリート板の上面にモルタル突起が突設されたようになる。なお、前記凹部４は軽量埋込体２の下面３の任意の箇所、例えば四隅にのみ設けることもできる。
【００１０】
また図２は第２の実施の形態の埋込材７を示したものである。この埋込材７は軽量埋込体２の下面３の四隅に沿った嵌合突起８が、上面の四隅に沿った嵌合凹部９がそれぞれ設けられたものであり、これ以外は第１の実施の形態の埋込材１と同じ構成である。このような嵌合突起８と嵌合凹部９とにより、埋込材７を積み重ねると、図３の（１）に示すように、嵌合突起８が下側の埋込材７の嵌合凹部９に嵌合して積み重ねられる。また、この埋込材７をコンクリート板１０に設置すると、同図の（２）に示すように、嵌合突起８の下部がコンクリート板１０中に埋設されるので埋込材７の設置が簡単にできる。
【００１１】
また図３は第３の実施の形態の埋込材１１を示したものである。この埋込材１１は軽量埋込体２の上面に配管設置用溝１２が形成されたものであり、これ以外は第１の実施の形態の埋込材１のと同じ構成である。この配管設置用溝１２は、同図の（２）〜（３）に示すように、下側が拡大され、これと同じ形の蓋体１３が取外自在に嵌入されている。したがって、この蓋体１３は埋込材１１をひっくり返しても落下しないが、上側に引っ張るか、あるいは蓋体１３の長さ方向に引っ張ると取り外すことができるようになっている。このように配管設置用溝１２には同形の蓋体１３が嵌入されているため、これを取り外すだけで必要な配管設置用溝１２に排水管１４を配管することができる。また配管設置用溝１２は少なくとも１本以上設けられるものであり、縦方向、横方向または縦横方向に設置することもできる。なお、この配管設置用溝１２は、第２の実施の形態の埋込材７にも設置することができる。
【００１２】
また図５は第１の実施の形態のＰＣ板１５を示したものである。このＰＣ板１５は、第１の実施の形態の埋込材１がコンクリート板１０のトラス筋１６間に設置されて構成されている。この埋込材１は凹部４の接着剤５で固定されている。この接着剤５は硬化するとコンクリート板１０の上面に一体形成したモルタル突起１７となり、この突起１７が凹部４に入って埋込材１を固定している。したがって、埋込材１はコンクリート板１０に設置するだけで固定できるので、従来のように笠釘を使用せずに固定できるので、手間のかかる固定作業が省略できる。
【００１３】
また上記の他に、第２および３の実施の形態の埋込材７、１１が設置されたＰＣ板（図示せず）を形成することもでき、これらも前記と同じ効果を奏することができる。なお、第３の実施の形態の埋込材１１が設置されたＰＣ板は、蓋体１３のみを取り外すだけで、必要な配管設置用溝１２に排水管１４が配管でき、トップコンクリートの打設量の低減化と、スラブの軽量化とを図ることができる。
【００１４】
【発明の効果】
コンクリートスラブ用埋込材を笠釘によらずに接着剤でコンクリート板に固定することができる。
【００１５】
凹部が軽量埋込体における小口カット寸法線の両側に設けられたことにより、小口カット寸法線で軽量埋込体をカットしたとしても、そのカット物の四隅に必ず凹部が形成される。
【００１６】
埋込材を積み重ねると、嵌合突起が下側の埋込材の嵌合凹部に嵌合されて積み重ねられる。
【００１７】
嵌合突起の下部がコンクリート板に埋設されるので、埋込材の設置が簡単にできる。
【００１８】
配管の必要な配管設置用溝の蓋体のみを取り外すことができる。
【００１９】
コンクリート板の上面に形成したモルタル突起が凹部に入って埋込材が固定されたプレキャストコンクリート板が製造できる。
【図面の簡単な説明】
【図１】（１）は第１の実施の形態の埋込材の底面図、（２）および（４）は同断面図、（３）は一部を省略した拡大断面図である。
【図２】（１）は第２の実施の形態の埋込材の底面図、（２）および（４）は同断面図、（３）は一部を省略した拡大断面図である。
【図３】（１）は第２の実施の形態の埋込材を積み重ねた断面図、（２）は第２の実施の形態の埋込材をコンクリート板に設置した一部省略拡大断面図である。
【図４】（１）は第３の実施の形態の埋込材の平面図、（２）〜（４）は同断面図である。
【図５】（１）は第１の実施の形態のＰＣ板の平面図、（２）は同断面図、（３）は埋込材の拡大断面図である。
【図６】（１）は従来のＰＣ板の断面図、（２）は埋込材の拡大断面図である。
【符号の説明】
１、７、１１、２０  埋込材
２  軽量埋込体
３  下面
４  凹部
５  接着剤
６  小口カット寸法線
８  嵌合突起
９  嵌合凹部
１０、２３  コンクリート板
１２  配管設置用溝
１３  蓋体
１４  排水管
１５、２１  ＰＣ板
１６  トラス筋
１７  モルタル突起
２２  笠釘
【図１】
2004204532.tif 000003
【図２】
2004204532.tif 000004
【図３】
2004204532.tif 000005
【図４】
2004204532.tif 000006
【図５】
2004204532.tif 000007
【図６】
2004204532.tif 000008